(57)【要約】【課題】例えばスギ材により構成されるカバー材を、ネジや埋め木が外観上見えないようにして縦材に固定することが可能な、建具カバー材、及び、建具カバー材の取付方法を提供すること。【解決手段】屋内側へ突出する室内側中空部１２１を備えた縦材の側面部１２４及び正面部１２５を覆う建具カバー材８０であって、スギ材により構成され、縦材の側面部１２４を覆う側面カバー部８１と、スギ材により構成され、縦材１０の正面部１２５及び側面カバー部８１の先端部を覆う正面カバー部８３と、縦材１２の正面部１２５に対向する正面カバー部８３又は縦材１２の側面部１２４に対向する側面カバー部８１の裏面８３３に固着される締結具８６５を固定可能な固定部材８５と、を備える建具カバー材８０である。【選択図】図４
2018091059.tif 000002
【特許請求の範囲】
【請求項１】
屋内側へ突出する室内側中空部を備えた縦材の側面部及び正面部を覆う建具カバー材であって、
スギ材により構成され、前記縦材の側面部を覆う側面カバー部と、
スギ材により構成され、前記縦材の正面部及び前記側面カバー部の先端部を覆う正面カバー部と、
前記縦材の正面部に対向する前記正面カバー部又は前記縦材の側面部に対向する前記側面カバー部の裏面に固着される締結具を固定可能な固定部材と、
を備える建具カバー材。
【請求項２】
前記固定部材には、前記縦材の正面部又は前記縦材の側面部に設けられた被係合部と係合する係合部が形成されている請求項１に記載の建具カバー材。
【請求項３】
前記側面カバー部の先端には、前記正面カバー部の裏面に嵌合する嵌合部が形成されている請求項１又は請求項２に記載の建具カバー材。
【請求項４】
前記側面カバー部の基端側の部分には、前記縦材の基端側の部分に設けられた突起部が差し込まれる溝が形成されている請求項１〜３いずれかに記載の建具カバー材。
【請求項５】
前記溝は、前記側面カバー部の厚み方向における前記側面カバー部の中央よりも前記縦材の側面部の側に配置されている請求項４に記載の建具カバー材。
【請求項６】
屋内側に突出する室内側中空部を備えた建具の縦材の、正面部を覆う正面カバー部と側面部を覆う側面カバー部とを備えたコの字状の建具カバー材内に取付けられた固定部材と、前記固定部材に締結具で固定される係合部と、を備えた建具用カバー材の施工方法であって、
前記建具の縦材に前記係合部に係合可能な被係合部を取付ける工程と、
前記被係合部と前記係合部を係合させて建具カバー材を前記建具の縦材に取付ける工程と、を備える建具カバー材の取付方法。
【発明の詳細な説明】
【技術分野】
【０００１】
本発明は、スギ材により構成された建具カバー材及び建具カバー材の取付方法に関する。
【背景技術】
【０００２】
サッシユニットやカーテンウォールの方立等の縦材として、アルミニウム等の金属製の押出成形品が用いられ、室内側に露出する縦材の部分を覆うようにして、集成材等により構成される木製のカバー材が取り付けられる構成が知られている（例えば、特許文献１参照）。これにより、縦材として必要な強度を金属製の枠本体により確保しつつ、木製のカバー材の木の質感により、意匠性に優れた構造が得られる。
【先行技術文献】
【特許文献】
【０００３】
【特許文献１】特開２００５−６１１１０号公報
【発明の概要】
【発明が解決しようとする課題】
【０００４】
国産のスギ等の針葉樹材の化粧板を用いて木製のカバー材を構成する場合、柔らかい材質であるため、外観上見えない部分においてネジを用いてカバー材を方立やサッシ枠に固定することは困難である。このため、外観上見える部分からネジなどにより固定したり、埋め木してネジ頭を隠したりしていた。
しかしながら、ネジや埋め木が外観上目立つため、意匠性がよくないという問題があった。
【０００５】
本発明は、上記に鑑みてなされたものであり、例えばスギ材により構成されるカバー材を、ネジや埋め木が外観上見えないようにして縦材に固定することが可能な、建具カバー材、及び、建具カバー材の取付方法を提供することを目的とする。
【課題を解決するための手段】
【０００６】
上記目的を達成するため本発明は、屋内側へ突出する室内側中空部（例えば、後述の室内側中空部１２１）を備えた縦材（例えば、後述の方立１１）の側面部（例えば、後述の側面部１２４）及び正面部（例えば、後述の正面部１２５）を覆う建具カバー材（例えば、後述のカバー材８０）であって、スギ材により構成され、前記縦材の側面部を覆う側面カバー部（例えば、後述の側面カバー部８１）と、スギ材により構成され、前記縦材の正面部及び前記側面カバー部の先端部を覆う正面カバー部（例えば、後述の正面カバー部８３）と、前記縦材の正面部に対向する前記正面カバー部又は前記縦材の側面部に対向する前記側面カバー材の裏面に固着される締結具を固定可能な固定部材（例えば、後述の固定部材８５）と、を備える建具カバー材を提供する。
【０００７】
前記固定部材には、前記縦材の正面部に設けられた被係合部（例えば、後述の被係合金具１７）と係合する係合部（例えば、後述の係合金具８６）が形成されていることが好ましい。
【０００８】
また、前記側面カバー部の先端には、前記正面カバー部の裏面に嵌合する嵌合部（例えば、後述の凸部８１４）が形成されていることが好ましい。
【０００９】
また、前記側面カバー部の基端側の部分には、前記縦材の基端側の部分に設けられた突起部（例えば、後述の突起部１５５）が差し込まれる溝（例えば、後述の溝８１１）が形成されていることが好ましい。
【００１０】
また、前記溝は、前記側面カバー部の厚み方向における前記側面カバー部の中央よりも前記縦材の側面部の側に配置されていることが好ましい。
【００１１】
また、本発明は、屋内側に突出する室内側中空部（例えば、後述の室内側中空部１２１）を備えた建具の縦材（例えば、後述の方立１１）の、正面部（例えば、後述の正面部１２５）を覆う正面カバー部（例えば、後述の正面カバー部８３）と側面部（例えば、後述の側面部１２４）を覆う側面カバー部（例えば、後述の側面カバー部８１）とを備えたコの字状の建具カバー材（例えば、後述のカバー材８０）内に取付けられた固定部材（例えば、後述の固定部材８５）と、前記固定部材に締結具（例えば、後述のネジ８６５）で固定される係合部（例えば、後述の係合金具８６）と、を備えた建具カバー材の施工方法であって、前記建具の縦材に前記係合部に係合可能な被係合部（例えば、後述の被係合金具１７）を取付ける工程と、前記被係合部と前記係合部を係合させて建具カバー材を前記建具の縦材に取付ける工程と、を備える建具カバー材の取付方法を提供する。
【発明の効果】
【００１２】
本発明によれば、例えばスギ材により構成されるカバー材を、ネジや埋め木が外観上見えないようにして縦材に固定することが可能な、建具カバー材、及び、建具カバー材の取付方法を提供することができる。
【図面の簡単な説明】
【００１３】
【図１】本発明の第一実施形態に係る建具カバー材８０が取り付けられた建具１を示す正面図である。
【図２】図１のＡ−Ａ線に沿った縦断面図である。
【図３】図１のＢ−Ｂ線に沿った横断面図である。
【図４】本発明の第一実施形態に係る建具カバー材８０が取り付けられた建具１を示す拡大横断面図である。
【図５】本発明の第一実施形態に係る建具カバー材８０を縦材１０に係合する係合金具８６及び被係合金具１７を示す拡大断面図であり、（ａ）は、係合金具８６と被係合金具１７係合とが係合している様子を示す図であり、（ｂ）は、係合金具８６と被係合金具１７係合との係合が解除されている様子を示す図である。
【図６】本発明の第二実施形態に係る建具カバー材８０が取り付けられた建具を示す拡大横断面図である。
【図７】本発明の第三実施形態に係る建具カバー材８０が取り付けられた建具を示す拡大横断面図である。
【図８】本発明の第四実施形態に係る建具カバー材８０が取り付けられた建具を示す拡大横断面図である。
【図９】本発明の第五実施形態に係る建具カバー材８０Ｄを示す拡大横断面図である。
【図１０】本発明の第六実施形態に係る建具カバー材８０Ｅが取り付けられた建具を示す拡大横断面図である。
【図１１】本発明の第七実施形態に係る建具カバー材８０Ｆが取り付けられた建具を示す拡大横断面図である。
【発明を実施するための形態】
【００１４】
以下、本発明の第一実施形態について、図面を参照して詳しく説明する。
図１は、本発明の第一実施形態に係る建具カバー材８０が取り付けられた建具１を示す正面図である。図２は、図１のＡ−Ａ線に沿った縦断面図である。図３は、図１のＢ−Ｂ線に沿った横断面図である。図４は、本発明の第一実施形態に係る建具カバー材８０が取り付けられた建具１を示す拡大横断面図である。図５は、本発明の第一実施形態に係る建具カバー材８０を縦材１０に係合する係合金具８６及び被係合金具１７を示す拡大断面図であり、（ａ）は、係合金具８６と被係合金具１７係合とが係合している様子を示す図であり、（ｂ）は、係合金具８６と被係合金具１７係合との係合が解除されている様子を示す図である。
【００１５】
図１に示すように、建具としてのサッシユニット１は、建築物に形成された開口に取り付けられる。
なお、本明細書において、「見付方向」とは、建物の外壁として納められたサッシユニット１を構成するサッシの横材５０（上枠５１、下枠６１）、方立１１の長手方向（すなわち、ガラス７０の面内方向）を意味し、「見込方向」とは、屋内外方向（すなわち、奥行き方向）を意味する。
【００１６】
枠体２は、横材５０としての上枠５１と、下枠６１と、上枠５１から下枠６１に至るまで延びる縦材１０としての方立１１と、を備える。上枠５１、下枠６１、及び、方立１１は、例えば、アルミニウムを押し出し成型することによって形成することができる。枠体２の内側の空間は、方立１１によって見付方向に複数の開口部に区画される。区画された開口部にはガラス７０が納められる。
【００１７】
以下、建具１について詳細に説明する。
【００１８】
上枠５１は、図２に示すように、屋内側に配置され中空部を有するホロー構造である上枠本体部５２と、上枠本体部５２の上部から屋外側に延設され、ガラス７０の上端部を保持する溝５３１を形成する上枠ガラス保持部５３と、上枠ガラス保持部５３の上側に形成され中空部を有するホロー構造である上枠上側部５４と、を有する。上枠５１は、例えば、アルミニウムを押し出し成形することにより形成される。
【００１９】
下枠６１は、屋内側に配置され中空部を有するホロー構造である下枠本体部６２と、下枠本体部６２から屋外側に延設され、ガラス７０の下端部を保持する溝６３１を形成する下枠ガラス保持部６３と、下枠ガラス保持部６３の下側に形成され中空部を有するホロー構造である下枠下側部６４と、を有する。下枠６１は、例えば、アルミニウムを押し出し成形することにより形成される。
【００２０】
方立１１は、図３に示すように、方立本体部１２と、延出フランジ部１３とを有している。方立本体部１２は、方立１１において屋内側に位置しており、図４に示す水平面で切った断面である横断面では、屋内側へ突出する室内側中空部１２１を有する中空のホロー構造の長方形状を有している。方立本体部１２の内部には、見込み方向屋内側と屋外側とを仕切る壁部１２２が設けられている。
【００２１】
延出フランジ部１３は、方立本体部１２から見込み方向における屋外側へ延び、屋外側の先端部において見付方向へ所定の幅で広がるＴ字形状を有しており、Ｔ字形状と方立本体部１２の一部とにより見付方向に開口するコの字状のガラス挿入溝１３１が形成されている。見込み方向において延出フランジ部１３に対向する方立本体部１２の部分には、中空部を有するホロー構造である方立側ガラス支持部１４が配置されている。方立側ガラス支持部１４と延出フランジ部１３との間には、ガラス７０が、シール１４３材及びバッカー材１４４を介して配置されている。
【００２２】
方立１１の方立本体部１２の基部には、突起部材及び建具カバー材係合部としてのアングル部材１５が固定されている。アングル部材１５は、図４に示すように、横断面で、方立側側壁１５１と支持部側壁１５２とを有するＬ字形状を有するアルミニウム製の金具によって構成されており、建具を構成する各部に対して、独立した別の部材を構成する部品により構成されている。アングル部材１５は、改装時に取り付けられた、いわゆる後付けの部材である。方立側側壁１５１、支持部側壁１５２は、それぞれ上下方向に延びている。方立側側壁１５１は、複数のビス１５３によって方立１１の方立本体部１２の基端側の部分（見込み方向における屋外側の端部の部分）の側面部１２４に固定されている。支持部側壁１５２は、方立側ガラス支持部１４に沿って、見付方向へ延びている。支持部側壁１５２には、突起部１５５が設けられている。突起部１５５は、支持部側壁１５２から屋内側へ突出すると共に上下方向に延びる板状に形成されている。
【００２３】
方立１１の方立本体部１２の先端部には、アングル部材１６が固定されている。アングル部材１６は、図４に示すように、横断面で、方立側面側壁１６１と正面側側壁１６２とを有するＬ字形状を有するアルミニウム製の金具によって構成されている。方立側面側壁１６１、正面側側壁１６２は、それぞれ上下方向に延びている。方立側面側壁１６１は、複数のビス１６３によって方立１１の方立本体部１２の基端側の部分（見込み方向における屋外側の端部の部分）の側面部１２４に固定され、正面側側壁１６２は、方立本体部１２の正面部１２５に沿って、見付方向へ延びている。方立側面側壁１６１は、後述するカバー材８０の側面カバー部８１と方立本体部１２の側面部１２４との間に配置されて、この間の隙間が埋められ、方立本体部１２に対してカバー材８０が見付方向に動いてガタつくことを防止する。
【００２４】
方立本体部１２の屋内側の端面を構成する、方立本体部１２の正面部１２５の表面には、被係合部を構成する建具カバー材係合部としての被係合金具１７が設けられている。被係合金具１７は、図５に示すように、方立本体部１２の側方視で、略Ｚ字形状に折り曲げられた板状に形成されており、先端部１７１と基部１７２とを有している。被係合金具１７の基部１７２は、ビス１７５によって方立本体部１２の正面部１２５に固定されている。
【００２５】
方立本体部１２の正面部１２５及び側面部１２４は、カバー材８０（建具カバー材）により覆われている。カバー材８０は、それぞれスギ材の集成材により構成された側面カバー部８１と、正面カバー部８３と、固定部材８５と、を備えている。
【００２６】
側面カバー部８１は、縦材１０の方立本体部１２の側面部１２４に対向して配置されて、縦材１０の方立本体部１２の側面部１２４を覆う長方形の板状に形成されている。側面カバー部８１の基端側の部分、より具体的には、側面カバー部８１の基端部（見込み方向における屋外側の端部）には、溝８１１が形成されている。溝８１１は、側面カバー部８１の厚み方向（図４における左右方向）における側面カバー部８１の中央よりも、縦材１０の側面部１２４の側（方立本体部１２の室内側中空部１２１の内方寄りの側）に配置されている。
【００２７】
溝８１１の最も奥の部分には、シール部材８１３が配置されている。シール部材８１３としては、例えば、ゴム等が用いられる。溝８１１には、アングル部材１５の突起部１５５が差し込まれて係合する。これにより、側面カバー部８１の反り、捻れ等の面外方向の変形が突起部１５５により拘束され、側面カバー部８１について強度に優れた構造とされる。また、シール部材８１３に突起部１５５の先端部が当接することにより、カバー材８０の内部と外部との間が気密にシールされ、カバー材８０の内部に結露が生ずることを抑えるとともに、カバー材８０を方立１１に対して見込み方向屋内側へ押圧して、係合金具８６と被係合金具１７とが、常時当接している状態とされる。
【００２８】
側面カバー部８１の先端には、嵌合部としての凸部８１４が形成されている。凸部８１４は、側面カバー部８１の内面を延長させるように、見込み方向屋内側へ延びるように突出すると共に、上下方向へ延びている。凸部８１４以外の側面カバー部８１の先端の端面は、接着剤によって正面カバー部８３の裏面８３３（見込み方向屋外側の面）に接着されている。
【００２９】
正面カバー部８３は、縦材１０の正面部１２５に対向して配置されて、縦材１０の正面部１２５、及び、側面カバー部８１の見込み方向屋内側の端面を覆う長方形の板状に形成されている。方立本体部１２の正面に対向する正面カバー部８３の裏面８３３であって、側面カバー部８１の先端の凸部８１４に対向する位置には、それぞれ被嵌合部としての溝８３１が形成されている。溝８３１には、側面カバー部８１の先端の凸部８１４が嵌合する。
【００３０】
正面カバー部８３の裏面８３３の部分であって２つの溝８３１の間の部分には、固定部材８５が設けられている。固定部材８５は、ヒノキの集成材により構成されており、方立本体部１２の正面部１２５と略同一形状を有する長方形の板状に形成されている。固定部材８５の見込み方向屋内側の面８５１は、正面カバー部８３の裏面８３３に接着材によって接着されて固着されている。従って、固定部材８５は、ビスやネジ等の締結具は一切用いられずに、正面カバー部８３の裏面８３３に固着している。
【００３１】
固定部材８５の見付方向における図４の左右方向の両端面８５３は、側面カバー部８１の裏面（内面）に接着材によって接着されて固着されている。従って、固定部材８５は、３面接着により正面カバー部８３及び一対の側面カバー部８１に接着されている。固定部材８５の見込み方向屋外側の面８５２には、係合部を構成する係合金具８６が設けられている。係合金具８６は、図５に示すように、方立本体部１２の側方視で、略Ｚ字形状に折り曲げられた板状に形成されており、先端部８６１と基部８６２とを有している。係合金具８６の基部８６２は、締結具の一例としてのネジ８６５によって固定部材８５の見込み方向屋外側の面８５２にネジ８６５とともに固定されている。係合金具８６は、方立本体部１２に固定された被係合金具１７に係合する。
【００３２】
ガラス７０は、図２〜図４等に示すように、それぞれ長方形状に形成された屋内側の板ガラス７１と、屋外側の板ガラス７２と、これら２枚の板ガラスで挟持されたスペーサ７３と、を備える複層ガラスである。この複層ガラスで構成されたガラス７０は、優れた断熱性を有する。
【００３３】
次に、建具カバーの施工方法及び建具カバー材の取付方法について説明する。以下に説明する方法では、既存のサッシユニット１のアルミニウム製の方立１１の方立本体部１２に対して木製のカバー材８０（建具カバー材）を取り付けて改装する。
【００３４】
最初に、方立本体部１２に取り付けられるカバー材８０を組み立てる工程を行なう。この工程は、工場にて予め行なわれ、施工を行う現場では行なわない。
先ず、側面カバー部８１の先端の端面（見込み方向における屋内側の端面）、及び／又は、正面カバー部８３の裏面８３３の部分であって、溝８３１よりも見付方向における端縁に至るまでの部分に、接着材を塗布する。次に、正面カバー部８３の溝８３１に、それぞれ側面カバー部８１の先端の凸部８１４を挿入して嵌合する。これにより、正面カバー部８３に側面カバー部８１を固定する。
【００３５】
次に、正面カバー部８３の裏面の部分であって、溝８３１と溝８３１との間の部分、及び／又は、固定部材８５の見込み方向における屋内側の端面８５１に、接着材を塗布する。また、固定部材８５の見付方向における両端面８５３（図４の左右方向における固定部材８５の両端面８５３）に、接着材を塗布する。次に、正面カバー部８３の裏面に、固定部材８５の見込み方向における屋内側の端面を接着すると共に、固定部材８５の見付方向における両端面８５３を側方カバー部の裏面（内面）に接着して、固定部材８５を正面カバー部８３及び側面カバー部８１に３面接着により固着させて取付ける。この固着は、ビスやネジ等の締結具を一切用いずに行なわれる。次に、ネジ８６５によって係合金具８６を固定部材８５に固定する。
【００３６】
次に、方立１１にアングル部材１５を固定する工程を行なう。この工程以降は、改装が施工される現場において行なわれる。
アングル部材１５は、既存の建具の方立１１に対して、後付けで取付けられる。具体的には、アングル部材１５の方立側側壁１５１をビス１５３によって、側面部１２４に固定する。また、アングル部材１６を固定する工程を行なう。アングル部材１５６は、既存の建具の方立１１に対して、後付けで取付けられる。具体的には、アングル部材１６の方立側面側壁１６１をビス１６３によって、側面部１２４に固定する。また、ビス１７５によって被係合金具１７を正面部１２５に固定する。
【００３７】
次に、側面カバー部８１の溝に、アングル部材１５の突起部１５５を差し込み、側面カバー部８１にアングル部材１５を直接係合させる。これにより側面カバー部８１は、方立本体部１２のほぼ全体を覆う状態で設置される。そして、図５（ｂ）に示すような、係合金具８６と被係合金具１７とが係合していない状態から、固定部材８５と方立本体部１２とを互いに接近させてゆき、固定部材８５を方立本体部１２に対して相対的に、見付方向であって下方向へ移動させて、係合金具８６を被係合金具１７に対してスライドさせて、引っ掛けるようにして、図５（ａ）に示すように、係合金具８６と被係合金具１７とを係合させる。これにより、方立１１の方立本体部１２に固定部材８５が固定される。
【００３８】
本実施形態によれば、以下の効果が奏される。
屋内側へ突出する室内側中空部１２１を備えた縦材１０としての方立１１の方立本体部１２の側面部１２４及び正面部１２５を覆うカバー材８０は、スギ材の集成材により構成され、方立本体部１２の側面部１２４を覆う側面カバー部８１と、スギ材の集成材により構成され、方立本体部１２の正面部１２５及び側面カバー部８１の先端部の端面を覆う正面カバー部８３と、正面部１２５に対向する正面カバー部８３の裏面に固着される締結具を固定可能な固定部材８５と、を備える。
【００３９】
これにより、ビスやネジや埋め木等が外観上見えないように、スギ材により構成されるカバー材８０を方立本体部１２に固定することが可能となる。このため、埋め木をしたり、ネジ頭を隠したりする必要がなくなるため、意匠性を高めることができ、また、施工の効率化を図ることができる。また、ヒノキ等と比較して、比較的柔らかいスギ材を強固に方立１１に対して固定することが可能となる。
【００４０】
また、側面カバー部８１の基端側の部分には、縦材１０の基端側の部分に設けられた突起部１５５が差し込まれる溝８１１が形成されている。
【００４１】
これにより、溝８１１に突起部１５５が差し込まれて係合することによって、側面カバー部８１の反り、捻れ等の面外方向の変形が突起部１５５により拘束される。この結果、側面カバー部８１は強度に優れた構造とされる。
【００４２】
また、溝８１１は、側面カバー部８１の厚み方向における側面カバー部８１の中央よりも縦材１０の側面部１２４の側に配置されている。
【００４３】
これにより、溝８１１よりも、見付方向であってカバー材８０の外方の側面カバー部８１の部分の厚みを、十分に確保することができる。側面カバー部８１には直接ビスやネジを打たないため、側面カバー部８１にキズがついた場合には、鉋で側面ガハー部の表面を削ってキズを削り取ることが可能である。そのため、側面カバー部８１は、所定年数耐えるような厚さに設定されているが、前述のように溝８１１は側面カバー部８１の板厚方向において側面カバー部８１の内側寄りに位置しているため、側面カバー部８１の表面を鉋で削ってゆき溝８１１に到達することを防ぐことができる。
【００４４】
また、側面カバー部８１の先端には、正面カバー部８３の裏面８３３の溝８３１に嵌合する嵌合部としての凸部８１４が形成されている。これにより、溝８３１に凸部８１４が嵌合することにより、正面カバー部８３に対して側面カバー部８１を容易に位置決めすることができ、このように位置決めされた状態で、強固に正面カバー部８３に対して側面カバー部８１を固定することが可能となる。
【００４５】
また、固定部材８５には、縦材１０としての方立１１の方立本体部１２の正面部１２５に設けられた被係合金具１７と係合する係合金具８６が形成されている。これにより、正面カバー部８３に固着した固定部材８５を方立１１に対して固定することが容易となる。特に、係合金具８６と被係合金具１７とが、略Ｚ字形状に折り曲げられた板状の金具により構成されているため、係合金具８６を被係合金具１７に対してスライドさせて引っ掛けるようにして、係合金具８６と被係合金具１７とを容易に係合することが可能となる。
【００４６】
また、屋内側に突出する室内側中空部１２１を備えた建具の縦材１１の方立本体部１２の正面部１２５を覆う正面カバー部８３と側面部１２４を覆う側面カバー部８１とを備えたコの字状の建具カバー材内に取付けられた固定部材８５と、固定部材８５に締結具８６５で固定される係合部８６と、を備えた建具用カバー材の施工方法は、建具の縦材１１に係合部８６に係合可能な被係合部１７を取付ける工程と、被係合部１７と係合部８６を係合させて建具カバー材８０を建具の縦材１１に取付ける工程と、を備える。
【００４７】
これにより、被係合部１７と係合部８６を係合させる建具カバー材８０を建具の縦材１１に容易に取付けることができ、且つ、ビスやネジや埋め木等が外観上見えない意匠性の高いカバー材８０を、容易に方立１１に対して容易に固定することが可能となる。
【００４８】
また、屋内側へ突出する室内側中空部１２１を備えた建具の縦材１０の方立本体部１２の側面部１２４をカバーする側面カバー部８１と、方立本体部１２の正面部１２５及び側面カバー部８１の先端部とを覆う正面カバー部８３とを備えたカバー材８０の建具への取付構造は、建具カバー材８０に直接係合する突起部１５５を備えた突起部材としてのアングル部材１５を有する。
【００４９】
これにより、既存のサッシユニット１のアルミニウム製の方立１１に対して、アングル部材１５を容易に取り付けることが可能となる。この結果、既存のサッシユニット１のアルミニウム製の方立１１に対して、木製のカバー材８０（建具カバー材）を、容易に取り付けて改装することが可能となる。
【００５０】
また、縦材１０を有する建具としてのサッシユニット１の室内側の部分に、突起部１５５を有する突起部材としてのアングル部材１５を固定する工程と、カバー材８０を構成し縦材１０の方立本体部１２の正面部１２５を覆う正面カバー部８３に、カバー材８０を構成し方立本体部１２の側面部１２４を覆う側面カバー部８１が固定され、正面カバー部８３又は側面カバー部８１に、締結具８６５が締結可能な固定部材８５が固着されて取付けられる工程と、カバー材８０の、側面カバー部８１を、突起部１５５に係合させる工程と、を備える建具カバーの施工方法である。
【００５１】
これにより、側面カバー部８１の反り、捻れ等の面外方向の変形を拘束する突起部１５５を有するアングル部材１５を、既存のサッシユニット１のアルミニウム製の方立１１に対して容易に取り付けることが可能となり、且つ、ビスやネジや埋め木等が外観上見えない意匠性の高いカバー材８０を、容易に方立１１に対して固定することが可能となる。即ち、木製のカバー材８０（建具カバー材）を、建具としてのサッシユニット１に取り付けるための専用の構成をサッシユニット１が有していなくても、サッシユニット１に容易に取り付けて改装することが可能となる。
【００５２】
また、屋内側に突出する室内側中空部１２１を備えた建具の方立１１の方立本体部１２の正面部１２５を覆う正面カバー部８３と側面部１２４を覆う側面カバー部８１とを備えた建具カバー材８０で覆う建具カバー材の施工方法は、建具の屋内側に建具カバー材係合部としてのアングル部材１５を固定する工程と、アングル部材１５と側面カバー部８１とを直接係合させる工程と、を備える。これにより、方立１１の方立本体部１２に対して取付けたアングル部材１５に対して建具カバー材８０を容易に取り付けることが可能となる。
【００５３】
次に、本発明の第二実施形態について、図６を参照しながら説明する。
図６は、本発明の第二実施形態に係る建具カバー材８０が取り付けられた建具を示す拡大横断面図である。
第二実施形態は、建具としてのサッシユニットが方立１１に代えて縦枠１１Ａを有する点、及び、突起部１５５が縦枠１１Ａとは独立した別体（別の部品により構成された別の部材）で構成された縦材１２Ａと一体成形されて構成されている点において、第一実施形態とは異なる。第一実施形態と同様の構成については、同一の符号を用いて図示し、説明を省略する。
【００５４】
図６に示すように、縦枠１１Ａは、内部に中空の空間を有する中央部１３Ａが一体に形成されている。中央部１３Ａは、見込み方向における屋内端部と屋外端部とがそれぞれ拡径されて形成されている。中央部１３Ａの屋外側の端部は、見付方向へ所定の幅で広がるフランジ状に形成されている。中央部１３Ａの屋内側の端部には、断面Ｌ字状のＬ字係合部１３１Ａが設けられており、Ｌ字係合部１３１Ａには、ガラス支持部１４Ａの屋内側の端部に形成された、断面Ｌ字状のＬ字被係合部１４１Ａが係合している。なお、ガラス等については、便宜上、本実施形態以降の実施形態においては、図示を省略する。
【００５５】
縦材１２Ａは、図６に示す水平面で切った断面である横断面では、室内側中空部１２１Ａを有する中空のホロー構造の長方形状を有している。見込み方向における屋外側の縦材１２Ａの壁部（以下、「被固定壁１２０Ａ」と言う）の部分であって、見付方向における図６の左右方向の中央部１３Ａには、見込み方向における屋外側へ一段飛び出た被固定部１２６Ａが形成されている。被固定部１２６Ａは、見込み方向における中央部１３Ａの屋内側の端部に、ビス１３３Ａによって固定されている。即ち、縦材１２Ａは、後付けで縦枠１１Ａに固定され建具に取り付けられている。
【００５６】
見付方向における図６の左右方向の被固定壁１２０Ａの端部は、縦材１２Ａの側面部１２４Ａよりも見付方向であって図６の左右方向へ延びて突出しており、被固定壁１２０Ａの突出端部には、見込み方向の屋内側へ突出し、第一実施形態における突起部１５５と同一形状の突起部１５５が、被固定壁１２０Ａの突出端部と一体成形されて設けられている。突起部１５５は、側面カバー部８１の溝８１１に挿入される。
【００５７】
本実施形態によれば、以下の効果が奏される。
縦材１２Ａは、建具とは別の部材により構成され、建具の屋内側（室内側）に取付けられる。このため、方立本体部１２を有していないサッシユニットに対して、木製のカバー部材を容易に取り付けて改装をすることが可能である。
【００５８】
次に、本発明の第三実施形態について、図７を参照しながら説明する。
図７は、本発明の第三実施形態に係る建具カバー材８０が取り付けられた建具を示す拡大横断面図である。
第三実施形態は、縦材１２Ｂを縦枠１１Ａに固定するためのアタッチメント１１０Ｂに突起部１５５が設けられている点において、第二実施形態とは異なる。第一実施形態、第二実施形態と同様の構成については、同一の符号を用いて図示し、説明を省略する。
【００５９】
見付方向であって図７の左右方向におけるアタッチメント１１０Ｂの中央の部分は、ビス１３３Ａによって、見込み方向における中央部１３Ａの屋内側の端部に固定されており、被固定部１１０１Ｂを構成する。被固定部１１０１Ｂから、見付方向における図７の左右方向（カバー材８０の外方）においてそれぞれ隣接するアタッチメント１１０Ｂの位置には、見込み方向屋内側（図７における上側）へ窪んだ係合金具取り付け部１１０２Ｂを有している。係合金具取り付け部１１０２Ｂには、固定部材８５に固定されている係合金具８６と同一の係合金具８６が、ビス８６５Ｂによって固定されている。係合金具取り付け部１１０２Ｂから、見付方向における図７の左右方向（カバー材８０の外方）においてそれぞれ隣接するアタッチメント１１０Ｂの位置には、係合金具取り付け部１１０２Ｂに対して、見込み方向屋外側（図７における下側）へ窪んだアタッチメント端部１１０３Ｂを有している。アタッチメント端部１１０３Ｂの先端部には、見込み方向の屋内側へ突出し、第一実施形態における突起部１５５と同一形状の突起部１５５が、アタッチメント１１０Ｂと一体成形されて設けられている。突起部１５５は、側面カバー部８１の溝８１１に挿入される。
【００６０】
見込み方向の屋外側の縦材１２Ｂの壁部（以下、「屋外側壁部１２０Ｂ」と言う）には、屋外側へ突出する被係合金具取り付け部１２０１Ｂが、屋外側壁部１２０Ｂと一体成形されて設けられている。被係合金具取り付け部１２０１Ｂは、図７に示すように、見込み方向屋外側へ突出し、突出端において互いに見付方向において接近するように延びている。被係合金具取り付け部１２０１Ｂには、正面部１２５Ｂに固定されている被係合金具１７と同一の被係合金具１７が、ビス１７５Ｂによって固定されている。
【００６１】
縦材１２Ｂに固定された被係合金具１７と、アタッチメント１１０Ｂに固定された係合金具８６とは、固定部材８５に固定された係合金具８６と、正面部１２５Ｂに固定された被係合金具１７とが係合することと同様の構成により係合する。これにより、縦材１２Ｂは、アタッチメント１１０Ｂを介して縦枠１１Ａに固定される。
【００６２】
次に、本発明の第四実施形態について、図８を参照しながら説明する。
図８は、本発明の第四実施形態に係る建具カバー材８０が取り付けられた建具を示す拡大横断面図である。
第四実施形態は、アタッチメント１１０Ｃが小型に形成されている点、突起部１５５が縦材１２Ｃと一体成形されて設けられている点において、第三実施形態とは異なる。第一実施形態〜第三実施形態と同様の構成については、同一の符号を用いて図示し、説明を省略する。
【００６３】
アタッチメント１１０Ｃは、見付方向における図８の左右方向において、縦材１２Ｃの幅よりも短く形成されている。アタッチメント１１０Ｃは、ビス１３３Ａによって、見込み方向における中央部１３Ａの屋内側の端部に固定されている。アタッチメント１１０Ｃには、固定部材８５に固定されている係合金具８６と同一の係合金具８６が、ビス８６５Ｂによって固定されている。
【００６４】
縦材１２Ｃの側面部１２４Ｃは、屋外側壁部１２０Ｃよりも見込み方向の屋外側へ延びて突出しており、縦材１２Ｃの側面部１２４Ｃの突出端から直角に折れ曲がり、見付方向であって左右方向に互いに離れるように延びて図８の左右の両端部に至る。そして両端部には、第一実施形態における突起部１５５と同一形状の突起部１５５が、縦材１２Ｃの側壁の両端部と一体成形されて設けられている。突起部１５５は、側面カバー部８１の溝８１１に挿入される。
【００６５】
次に、本発明の第五実施形態について、図９を参照しながら説明する。
図９は、本発明の第五実施形態に係る建具カバー材８０Ｄを示す拡大横断面図である。
第五実施形態においては、固定部材８５Ｄの形状や材質等の構成が、第一実施形態〜第四実施形態における固定部材８５の構成とは異なる。第一実施形態〜第四実施形態と同様の構成については、同一の符号を用いて図示し、説明を省略する。
【００６６】
固定部材８５Ｄは、ヒノキ材ではなく、アルミニウム製で構成されている。見込み方向の屋内側における固定部材８５Ｄの端部は、見付方向であって左右方向へ広がる拡張部８５５Ｄを有している。拡張部８５５Ｄは、正面カバー部８３の裏面８３３Ｄと、見込み方向の屋内側における側面カバー部８１Ｄの端面８１２Ｄとにより構成される溝部８３４Ｄに挿入されており、正面カバー部８３Ｄの裏面８３３Ｄと、見込み方向の屋内側における側面カバー部８１の端面８１２Ｄとにより挟まれた状態となっている。これにより、固定部材８５Ｄは、正面カバー部８３Ｄに対して、ビスやネジ等の締結具が用いられないのみならず、接着材さえも用いられずに、固着されている。
【００６７】
次に、本発明の第六実施形態について、図１０を参照しながら説明する。図１０は、本発明の第六実施形態に係る建具カバー材８０Ｅが取り付けられた建具を示す拡大横断面図である。
第六実施形態においては、建具カバー材８０Ｅの構成が、第一実施形態〜第五実施形態における建具カバー材８０、８０Ｄの構成とは異なる。第一実施形態〜第五実施形態と同様の構成については、同一の符号を用いて図示し、説明を省略する。
【００６８】
図１０に示すように、一対の側面カバー部８１Ｅの上側の部分の内側には、切欠き８１６Ｅが形成されている。切欠き８１６Ｅは、略直方体形状に形成されており、固定部材８５Ｅと同一の形状に形成されている。切欠き８１６Ｅには、固定部材８５Ｅが嵌められており、ビスやネジ等の締結具が用いられずに、接着剤によって側面カバー部８１Ｅと正面カバー部８３Ｅとに、それぞれ接着されて固着されている。
【００６９】
係合金具８６Ｅの基部８６２Ｅは、図１０に示す水平面で切った断面である横断面では、コの字形状に形成されている。当該コの字形状が、一対の見込み方向壁部８６２１Ｅとその間に位置する見付方向壁部８６２２Ｅと、により構成されていると考えた場合の、一対の見込み方向壁部８６２１Ｅは、ネジ８６５によって固定部材８５Ｅにそれぞれ固定されている。
【００７０】
アングル部材１５Ｅについては、第１実施形態と同様に、方立１１Ｅの方立本体部１２Ｅに対して、後付けで取付けられている。具体的には、建具カバー材８０Ｅが取り付けられる施工現場において、アングル部材１５Ｅの方立側面側壁１５１Ｅは、ビス１５３によって側面部１２４Ｅの下部に固定され、これにより、アングル部材１５Ｅが方立本体部１２Ｅに対して、後付けされている。
【００７１】
次に、本発明の第七実施形態について、図１１を参照しながら説明する。図１１は、本発明の第七実施形態に係る建具カバー材８０Ｆが取り付けられた建具を示す拡大横断面図である。
第七施形態においては、建具カバー材８０Ｆの構成が、第一実施形態〜第六実施形態における建具カバー材８０、８０Ｄの構成とは異なる。また、係合金具８６、被係合金具１７が固定される位置が、第一実施形態〜第六実施形態における位置とは異なる。第一実施形態〜第六実施形態と同様の構成については、同一の符号を用いて図示し、説明を省略する。
【００７２】
図１１に示すように、固定部材８５Ｆは、例えば側面カバー部８１の裏面（内面）の全面に接着材によって接着されて固着されている。そして、係合金具８６の基部８６２は、ネジ８６５によって固定部材８５の裏面（内面）に固定されている。また、被係合金具１７の基部１７２は、ビス１７５によって方立本体部１２の側面部１２４に固定されている。この構成により、カバー材８０Ｆの施工方法においては、被係合金具１７は、係合金具８６及び固定部材８５Ｆを介して側面カバー部８１に間接に係合される。これら係合金具８６、被係合金具１７は、当該形状に限定されることなく、例えば嵌め合わされる形状とし、数も左右それぞれ１つでなく、左右にそれぞれ２つ設けて嵌合させるようにしてもよい。また、係合金具、被係合金具の位置も方立の形状に応じて変更してもよい。
【００７３】
なお、本発明は上記実施形態に限定されるものではなく、本発明の目的を達成できる範囲での変形、改良等は本発明に含まれる。
例えば、側面カバー部８１の溝８１１は、側面カバー部８１の厚み方向（図４における左右方向）における側面カバー部８１の中央よりも、方立本体部１２の側面部１２４の側（室内側中空部１２１の内方寄りの側）に配置されていたが、この構成に限定されない。例えば、側面カバー部８１の厚みが十分に確保できれば、溝８１１を、側面カバー部８１の厚み方向（図４における左右方向）における側面カバー部８１の中央に位置させてもよい。
また、方立１１の方立本体部１２や縦材１２Ａ、縦材１２Ｂ、縦材１２Ｃは、中空のホロー構造に構成されていたが、この構成に限定されない。例えば、特開２０１４−１４５１５１号公報に記載されているように、方立や縦材は、分割可能なに半割れに構成されていてもよい。
【００７４】
また、建具カバー材や建具の各部の構成は、本実施形態におけるカバー材８０やサッシユニット１の各部の構成に限定されない。例えば、側面カバー部、正面カバー部、固定部材、係合部、被係合部、方立、縦材等の構成は、本実施形態における、側面カバー部８１、正面カバー部８３、固定部材８５、係合金具８６、被係合金具１７、方立１１、縦材１２Ａ、縦材１２Ｂ、縦材１２Ｃ等の構成に限定されない。従って例えば、見込み方向における方立１１の寸法についても様々な値を採ることができる。
また、ガラスとしては、例えば、網入り板ガラスを、屋外側のガラスに用いたり、外観意匠を考慮して屋内側のガラスに用いたりしてもよい。
【００７５】
また、本実施形態では、既存の建具としてのサッシユニット１に対して、突起部１５５を有するアングル部材１５等の部材を取り付けて、木製のカバー材８０を取り付けたが、この構成に限定されない。例えば、新築の場合において、予め方立１１に木製のカバー材８０を取り付けることが確定しているのであれば、突起部１５５を有するアングル部材１５という部品で構成するのではなく、当初から建具の一部に突起部が一体成形されて設けられている建具の当該突起部を、カバー材８０の側面カバー部８１の溝に挿入して、カバー材８０を建具に取り付けるようにしてもよい。即ち、突起部を有するアングル部材１５等を、建具に対して後付けしなくてもよい。
また、本実施形態においては、建具カバー材の施工方法は、改装において実施されたが、改装に限定されない。建具カバー材の施工方法は、新築の場合に実施されてもよい。
【００７６】
なお、側面カバーの基端側に溝８１１は必ずしも形成しなくてもよく、アングル部材１５に嵌合する嵌合部材を側面カバーに取付けてもよい。また、本実施形態では、正面カバー部８３の裏面に固定部材８５を取り付けているが、固定部材８５がなくてもアングル部材１５と側面カバーに取付けた嵌合部材による嵌合だけで、カバー材を方立１１に固定するようにしてもよい。これにより、見付方向において十分な幅を方立の方立本体が有する構成とすることが可能となる。
【符号の説明】
【００７７】
１１、１１Ｅ…方立（縦材）
１５、１５Ｅ…アングル部材（突起部材、建具カバー材係合部）
１７…被係合金具（被係合部、建具カバー材係合部）
８０、８０Ｄ、８０Ｅ…カバー材（建具カバー材）
８１、８１Ｅ…側面カバー部
８３、８３Ｅ…正面カバー部
８５、８５Ｄ、８５Ｅ…固定部材
８６、８６Ｅ…係合金具（係合部）
１２１…室内側中空部
１２４、１２４Ｅ…側面部
１２５…正面部
１５５…突起部
８１１…溝
８１４…凸部（嵌合部）
【図１】
2018091059.tif 000003
【図２】
2018091059.tif 000004
【図３】
2018091059.tif 000005
【図４】
2018091059.tif 000006
【図５】
2018091059.tif 000007
【図６】
2018091059.tif 000008
【図７】
2018091059.tif 000009
【図８】
2018091059.tif 000010
【図９】
2018091059.tif 000011
【図１０】
2018091059.tif 000012
【図１１】
2018091059.tif 000013